(57)【要約】      （修正有）【課題】複数のコンロに配置された鍋の温度をそれぞれ検出および制御する調理器を提供する。【解決手段】誘導調理器は、それぞれが伝送コイルおよび伝送コイルを駆動して機能させるドライバを備える複数のコンロ１，２，３と、各コンロのドライバを制御して駆動信号を生成するように適合されたコントローラ１００とを備え、各コンロのドライバ１１１，１２１，１３１によって生成された駆動信号は、周期的循環変調信号シーケンスを含み、異なるコンロのドライバによって生成された駆動信号内の変調信号シーケンスは互いに異なり、したがってコンロは、変調信号シーケンスに応じて互いに識別および区別される。【選択図】図１
2020149972.tif 000002
【特許請求の範囲】
【請求項１】
それぞれが伝送コイル（１１０、１２０、１３０）および前記伝送コイル（１１０、１２０、１３０）を駆動して機能させるドライバ（１１１、１２１、１３１）を備える複数のコンロ（１、２、３）と、
各コンロ（１、２、３）の前記ドライバ（１１１、１２１、１３１）を制御して駆動信号を生成するように適合されたコントローラ（１００）と
を備える誘導調理器であって、
各コンロ（１、２、３）の前記ドライバ（１１１、１２１、１３１）によって生成された前記駆動信号は、周期的循環変調信号シーケンスを含み、
異なるコンロ（１、２、３）の前記ドライバ（１１１、１２１、１３１）によって生成された前記駆動信号内の前記変調信号シーケンスは互いに異なり、したがって前記コンロ（１、２、３）は、前記変調信号シーケンスに応じて互いに識別および区別される、誘導調理器。
【請求項２】
前記異なるコンロ（１、２、３）の前記ドライバ（１１１、１２１、１３１）によって生成された前記駆動信号内の前記変調信号シーケンスの振幅、位相、および周波数の少なくとも１つは異なる、
請求項１に記載の誘導調理器。
【請求項３】
前記異なるコンロ（１、２、３）の前記ドライバ（１１１、１２１、１３１）によって生成された前記駆動信号内の前記変調信号シーケンスの前記振幅は異なり、したがって前記コンロ（１、２、３）は、前記変調信号シーケンスの前記振幅に応じて互いに識別および区別される、
請求項２に記載の誘導調理器。
【請求項４】
前記異なるコンロ（１、２、３）の前記ドライバ（１１１、１２１、１３１）によって生成された前記駆動信号内の前記変調信号シーケンスの前記位相は異なり、したがって前記コンロ（１、２、３）は、前記変調信号シーケンスの前記位相に応じて互いに識別および区別される、
請求項２に記載の誘導調理器。
【請求項５】
前記異なるコンロ（１、２、３）の前記ドライバ（１１１、１２１、１３１）によって生成された前記駆動信号内の前記変調信号シーケンスの前記周波数は異なり、したがって前記コンロ（１、２、３）は、前記変調信号シーケンスの前記周波数に応じて互いに識別および区別される、
請求項２に記載の誘導調理器。
【請求項６】
前記誘導調理器は、それぞれ前記複数のコンロ（１、２、３）に配置されるように適合された複数の鍋（１０、２０、３０）をさらに備え、
前記複数のコンロ（１、２、３）の前記伝送コイル（１１０、１２０、１３０）は、それぞれ前記複数のコンロ（１、２、３）に配置された前記複数の鍋（１０、２０、３０）を加熱するように適合されている、
請求項１から５のいずれか一項に記載の誘導調理器。
【請求項７】
各鍋（１０、２０、３０）は、前記コンロ（１、２、３）の前記伝送コイル（１１０、１２０、１３０）に電磁結合するように適合された受信コイルを備え、前記受信コイルは、前記伝送コイル（１１０、１２０、１３０）から伝送された前記駆動信号を受信するように構成され、したがってそれぞれの前記鍋（１０、２０、３０）に対応する前記コンロ（１、２、３）は、受信された前記駆動信号内の前記変調信号シーケンスに応じて識別される、
請求項６に記載の誘導調理器。
【請求項８】
各鍋（１０、２０、３０）は、前記受信コイルによって受信された前記駆動信号を処理し、前記駆動信号内の前記変調信号シーケンスをデジタル識別信号シーケンスに変換するように適合された信号処理回路をさらに備え、したがって前記それぞれの鍋（１０、２０、３０）に対応する前記コンロ（１、２、３）は、前記デジタル識別信号シーケンスに応じて識別される、
請求項７に記載の誘導調理器。
【請求項９】
各鍋（１０、２０、３０）は、温度センサ（１１、２１、３１）および無線伝送モジュール（１２、２２、３２）をさらに備え、前記温度センサ（１１、２１、３１）は、前記鍋（１０、２０、３０）の温度を検出するように構成され、
前記無線伝送モジュール（１２、２２、３２）は、前記デジタル識別信号シーケンスおよび前記検出された温度信号を無線移動通信デバイス（４０）および／または前記誘導調理器に設けられた無線通信モジュール（１２２）へ伝送するように適合されている、
請求項８に記載の誘導調理器。
【請求項１０】
前記コントローラ（１００）は、前記無線移動通信デバイス（４０）および／または前記無線通信モジュール（１２２）によって受信された前記デジタル識別信号シーケンスに基づいてそれぞれの前記温度信号に対応する前記コンロ（１、２、３）を識別するように適合されている、
請求項９に記載の誘導調理器。
【請求項１１】
前記コントローラ（１００）は、それぞれの前記コンロ（１、２、３）の前記温度が所定の温度に到達するように、前記無線移動通信デバイス（４０）および／または前記無線通信モジュール（１２２）によって受信された前記温度信号に基づいてそれぞれの前記コンロ（１、２、３）の前記ドライバ（１１１、１２１、１３１）を制御するように適合されている、
請求項１０に記載の誘導調理器。
【発明の詳細な説明】
【技術分野】
【０００１】
本発明は、誘導調理器に関し、より詳細には複数のコンロを有する誘導調理器に関する。
【背景技術】
【０００２】
スマート家庭用電気機器の発展に伴い、複数のコンロを有する高級誘導調理器のいくつかは、複数の鍋を同時に加熱することができる。このタイプの誘導調理器の場合、複数のコンロに配置された鍋の温度をそれぞれ検出および制御する必要がある。従来技術では、鍋の温度を検出するために各鍋に温度センサが設けられる。各鍋の検出された温度信号は、コントローラへ伝送される。しかしこの場合、コントローラは、受信された温度信号がどのコンロに対応するかを判定することができない。それによって、それぞれのコンロを制御することによってそれぞれ鍋の温度を調整することが不可能になり、誘導調理器の調理効果が低減される可能性がある。
【発明の概要】
【発明が解決しようとする課題】
【０００３】
本発明は、上述した欠点の少なくとも一面を克服または軽減するためになされたものである。
【課題を解決するための手段】
【０００４】
本発明の一態様によれば、それぞれが伝送コイルおよび伝送コイルを駆動して機能させるドライバを備える複数のコンロと、各コンロのドライバを制御して駆動信号を生成するように適合されたコントローラとを備える誘導調理器が提供され、各コンロのドライバによって生成された駆動信号は、周期的循環変調信号シーケンスを含み、異なるコンロのドライバによって生成された駆動信号内の変調信号シーケンスは互いに異なり、したがってコンロは、変調信号シーケンスに応じて互いに識別および区別される。
【０００５】
本発明の例示的な実施形態によれば、異なるコンロのドライバによって生成された駆動信号内の変調信号シーケンスの振幅、位相、および周波数の少なくとも１つは異なる。
【０００６】
本発明の別の例示的な実施形態によれば、異なるコンロのドライバによって生成された駆動信号内の変調信号シーケンスの振幅は異なり、したがってコンロは、変調信号シーケンスの振幅に応じて互いに識別および区別される。
【０００７】
本発明の別の例示的な実施形態によれば、異なるコンロのドライバによって生成された駆動信号内の変調信号シーケンスの位相は異なり、したがってコンロは、変調信号シーケンスの位相に応じて互いに識別および区別される。
【０００８】
本発明の別の例示的な実施形態によれば、異なるコンロのドライバによって生成された駆動信号内の変調信号シーケンスの周波数は異なり、したがってコンロは、変調信号シーケンスの周波数に応じて互いに識別および区別される。
【０００９】
本発明の別の例示的な実施形態によれば、誘導調理器は、それぞれ複数のコンロに配置されるように適合された複数の鍋をさらに備え、複数のコンロの伝送コイルは、それぞれ複数のコンロに配置された複数の鍋を加熱するように適合されている。
【００１０】
本発明の別の例示的な実施形態によれば、各鍋は、コンロの伝送コイルに電磁結合するように適合された受信コイルを備え、受信コイルは、伝送コイルから伝送された駆動信号を受信するように構成され、したがってそれぞれの鍋に対応するコンロは、受信された駆動信号内の変調信号シーケンスに応じて識別される。
【００１１】
本発明の別の例示的な実施形態によれば、各鍋は、受信コイルによって受信された駆動信号を処理し、駆動信号内の変調信号シーケンスをデジタル識別信号シーケンスに変換するように適合された信号処理回路をさらに備え、したがってそれぞれの鍋に対応するコンロは、デジタル識別信号シーケンスに応じて識別される。
【００１２】
本発明の別の例示的な実施形態によれば、各鍋は、温度センサおよび無線伝送モジュールをさらに備え、温度センサは、鍋の温度を検出するように構成され、無線伝送モジュールは、デジタル識別信号シーケンスおよび検出された温度信号を無線移動通信デバイスおよび／または誘導調理器に設けられた無線通信モジュールへ伝送するように適合されている。
【００１３】
本発明の別の例示的な実施形態によれば、コントローラは、無線移動通信デバイスおよび／または無線通信モジュールによって受信されたデジタル識別信号シーケンスに基づいてそれぞれの温度信号に対応するコンロを識別するように適合されている。
【００１４】
本発明の別の例示的な実施形態によれば、コントローラは、それぞれのコンロの温度が所定の温度に到達するように、無線移動通信デバイスおよび／または無線通信モジュールによって受信された温度信号に基づいてそれぞれのコンロのドライバを制御するように適合されている。
【００１５】
本発明の上記の様々な例示的な実施形態では、各コンロの駆動信号は周期的循環変調信号シーケンスを含み、異なるコンロの変調信号シーケンスは互いに異なる。それによって、変調信号シーケンスに応じてコンロを識別および区別することが可能である。このようにして、本発明では、それぞれのコンロを制御することによって鍋の温度をそれぞれ適度に調整することが可能であり、誘導調理器の調理効果を改善することができる。
【００１６】
本発明の上記その他の特徴は、添付の図面を参照して本発明の例示的な実施形態について詳細に説明することによってより明らかになるであろう。
【図面の簡単な説明】
【００１７】
【図１】本発明の例示的な実施形態による誘導調理器の例示的な図である。
【図２】本発明の例示的な実施形態による駆動信号、変調信号シーケンス、およびデジタル識別信号シーケンスの概略図である。
【発明を実施するための形態】
【００１８】
本開示の例示的な実施形態について、添付の図面を参照して以下に詳細に説明する。添付の図面では、同じ参照番号は同様の要素を指す。しかし、本開示は多くの異なる形態で実施することができ、本明細書に記載の実施形態に限定されると解釈されるべきではなく、これらの実施形態は、本開示が徹底的かつ完全になり、本開示の概念を当業者に十分に伝えるように提供される。
【００１９】
以下の詳細な説明では、説明の目的で、開示する実施形態の徹底的な理解を提供するために多数の具体的な詳細について述べる。しかし、これらの具体的な詳細なしに１つまたは複数の実施形態を実施することができることが明らかであろう。他の例では、よく知られている構造およびデバイスは、図面を簡略化するために概略的に示す。
【００２０】
本発明の一般概念によれば、それぞれが伝送コイルおよび伝送コイルを駆動して機能させるドライバを備える複数のコンロと、各コンロのドライバを制御して駆動信号を生成するように適合されたコントローラとを備える誘導調理器が提供され、各コンロのドライバによって生成された駆動信号は、周期的循環変調信号シーケンスを含み、異なるコンロのドライバによって生成された駆動信号内の変調信号シーケンスは互いに異なり、したがってコンロは、変調信号シーケンスに応じて互いに識別および区別される。
【００２１】
図１は、本発明の例示的な実施形態による誘導調理器の例示的な図である。
【００２２】
図１に示すように、一実施形態では、誘導調理器は主に、複数のコンロ１、２、３およびコントローラ１００を備える。図示の実施形態では、誘導調理器は３つのコンロ１、２、３を備えているが、本発明はこれに限定されるものではなく、誘導調理器は２つ、４つ、またはそれ以上のコンロを備えることもできる。
【００２３】
図１に示すように、一実施形態では、各コンロ１、２、３は、伝送コイル１１０、１２０、１３０およびドライバ１１１、１２１、１３１を備える。ドライバ１１１、１２１、１３１は、それぞれの伝送コイル１１０、１２０、１３０を駆動して機能させるように構成される。
【００２４】
図１に示すように、一実施形態では、説明の便宜上、３つのコンロ１、２、３をそれぞれ第１のコンロ１、第２のコンロ２、および第３のコンロ３と呼ぶ。第１のコンロ１は、第１の伝送コイル１１０および第１のドライバ１１１を備える。第２のコンロ２は、第２の伝送コイル１２０および第２のドライバ１２１を備える。第３のコンロ３は、第３の伝送コイル１３０および第３のドライバ１３１を備える。
【００２５】
図１に示すように、一実施形態では、コントローラ１００は、各コンロ１、２、３のドライバ１１１、１２１、１３１を制御して駆動信号を生成するように適合される。駆動信号は通常、高周波ＡＣ信号である。
【００２６】
図２は、本発明の例示的な実施形態による駆動信号、変調信号シーケンス、およびデジタル識別信号シーケンスの概略図を示す。
【００２７】
図１〜図２に示すように、一実施形態では、各コンロ１、２、３のドライバ１１１、１２１、１３１によって生成された駆動信号は、周期的循環変調信号シーケンスを含む。
【００２８】
図１〜図２に示すように、一実施形態では、異なるコンロ１、２、３のドライバ１１１、１２１、１３１によって生成された駆動信号内の変調信号シーケンスは互いに異なり、したがってコンロ１、２、３は、変調信号シーケンスに応じて互いに識別および区別される。
【００２９】
本発明の例示的な実施形態では、異なるコンロ１、２、３のドライバ１１１、１２１、１３１によって生成された駆動信号内の変調信号シーケンスの振幅、位相、および周波数の少なくとも１つは異なる。
【００３０】
図１〜図２に示すように、一実施形態では、異なるコンロ１、２、３のドライバ１１１、１２１、１３１によって生成された駆動信号内の変調信号シーケンスの振幅は異なり、したがってコンロ１、２、３は、変調信号シーケンスの振幅に応じて互いに識別および区別される。
【００３１】
図１〜図２に示すように、一実施形態では、第１のコンロ１の第１のドライバ１１１によって生成された駆動信号内の変調信号シーケンスを第１の変調信号シーケンスと呼び、第２のコンロ２の第２のドライバ１２１によって生成された駆動信号内の変調信号シーケンスを第２の変調信号シーケンスと呼び、第３のコンロ３の第３のドライバ１３１によって生成された駆動信号内の変調信号シーケンスを第３の変調信号シーケンスと呼ぶ。
【００３２】
図２にはっきりと示すように、一実施形態では、第１の変調信号シーケンス、第２の変調信号シーケンス、および第３の変調信号シーケンスの振幅は互いに異なる。それによって、この場合、第１のコンロ１、第２のコンロ２、および第３のコンロ３は、第１、第２、および第３の変調信号シーケンスの振幅に応じて識別および区別することが可能である。
【００３３】
図示しないが、本発明の別の例示的な実施形態では、異なるコンロ１、２、３のドライバ１１１、１２１、１３１によって生成された駆動信号内の変調信号シーケンスの位相は異なってよい。それによって、この場合、第１のコンロ１、第２のコンロ２、および第３のコンロ３は、第１、第２、および第３の変調信号シーケンスの位相に応じて識別および区別することが可能である。
【００３４】
図示しないが、本発明の別の例示的な実施形態では、異なるコンロ１、２、３のドライバ１１１、１２１、１３１によって生成された駆動信号内の変調信号シーケンスの周波数は異なってよい。それによって、この場合、第１のコンロ１、第２のコンロ２、および第３のコンロ３は、第１、第２、および第３の変調信号シーケンスの周波数に応じて識別および区別することが可能である。
【００３５】
図１に示すように、一実施形態では、誘導調理器は、複数の鍋１０、２０、３０をさらに備える。図示の実施形態では、誘導調理器は３つの鍋１０、２０、３０を備えているが、本発明はこれに限定されるものではなく、誘導調理器は２つ、４つ、またはそれ以上の鍋を備えることもできる。
【００３６】
図１に示すように、一実施形態では、複数の鍋１０、２０、３０は、それぞれ複数のコンロ１、２、３に配置されるように適合される。複数のコンロ１、２、３の伝送コイル１１０、１２０、１３０は、それぞれ複数のコンロ１、２、３に配置された複数の鍋１０、２０、３０を加熱するように適合される。
【００３７】
図１に示すように、一実施形態では、各鍋１０、２０、３０は、コンロ１、２、３の伝送コイル１１０、１２０、１３０に電磁結合するように適合された受信コイル（図示せず）を備える。受信コイルは、伝送コイル１１０、１２０、１３０から伝送された駆動信号を受信するように構成される。それによって、それぞれの鍋１０、２０、３０に対応するコンロ１、２、３は、受信された駆動信号内の変調信号シーケンスに応じて識別することが可能になる。
【００３８】
図１〜図２に示すように、一実施形態では、各鍋１０、２０、３０は、信号処理回路（図示せず）をさらに備える。信号処理回路は、受信コイルによって受信された駆動信号を処理し、駆動信号内の変調信号シーケンスをデジタル識別信号シーケンスに変換するように適合される。このようにして、それぞれの鍋１０、２０、３０に対応するコンロ１、２、３は、デジタル識別信号シーケンスに応じて識別することが可能である。
【００３９】
図２にはっきりと示すように、第１のコンロ１は第１のデジタル識別信号シーケンスに対応し、第２のコンロ２は第２のデジタル識別信号シーケンスに対応し、第３のコンロ３は第３のデジタル識別信号シーケンスに対応する。第１、第２、および第３のデジタル識別信号シーケンスの振幅が互いに異なるため、それぞれ第１の鍋１０、第２の鍋２０、および第３の鍋３０に対応する第１、第２、および第３のコンロ１、２、３は、第１、第２、および第３のデジタル識別信号シーケンスに応じて正確に識別することができる。
【００４０】
図１〜図２に示すように、一実施形態では、各鍋１０、２０、３０は、温度センサ１１、２１、３１および無線伝送モジュール１２、２２、３２をさらに備える。温度センサ１１、２１、３１は、鍋１０、２０、３０の温度を検出するように構成される。無線伝送モジュール１２、２２、３２は、デジタル識別信号シーケンスおよび検出された温度信号を無線移動通信デバイス４０および／または誘導調理器に設けられた無線通信モジュール１２２へ伝送するように適合される。
【００４１】
図１〜図２に示すように、一実施形態では、コントローラ１００は、無線移動通信デバイス４０および／または無線通信モジュール１２２によって受信されたデジタル識別信号シーケンスに基づいてそれぞれの温度信号に対応するコンロ１、２、３を識別するように適合される。
【００４２】
図１〜図２に示すように、一実施形態では、コントローラ１００は、それぞれのコンロ１、２、３の温度が所定の温度に到達するように、無線移動通信デバイス４０および／または無線通信モジュール１２２によって受信された温度信号に基づいてそれぞれのコンロ１、２、３のドライバ１１１、１２１、１３１を制御するように適合される。
【００４３】
上記の実施形態は制限ではなく例示を意図したものであることを、当業者には理解されたい。たとえば、当業者であれば、構造または原理上矛盾することなく、上記の実施形態に多くの修正を加えることができ、異なる実施形態に記載する様々な特徴を互いに自由に組み合わせることができる。
【００４４】
いくつかの例示的な実施形態について図示および説明したが、本開示の原理および精神から逸脱することなく、これらの実施形態に様々な変更または修正を加えることができ、本開示の範囲は特許請求の範囲およびその均等物に定義されることが、当業者には理解されよう。
【００４５】
本明細書では、「ａ」または「ａｎ」という単語に続いて単数形で記載されている要素は、そのような除外が明示的に示されていない限り、前記要素またはステップの複数を除外するものではないと理解されたい。さらに、本発明の「一実施形態」への言及は、記載の特徴を同様に組み込む追加の実施形態の存在を除外すると解釈されることを意図したものではない。さらに、逆の内容が明示的に示されていない限り、特定の特性を有する１つまたは複数の要素を「備える、含む」または「有する」実施形態は、その特性を有していない追加のそのような要素を含むこともできる。
【図１】
2020149972.tif 000003
【図２】
2020149972.tif 000004
【外国語明細書】
2020149972000001.pdf